(57)【要約】      （修正有）【課題】各端末に対応した情報表示が可能な情報表示装置を提供する。【解決手段】送受信部を各々有する一または複数の端末と、送受信を行う送受信部１７１と、情報を表示する表示部１０１と、前記各端末毎に対応する表示情報を記憶する記憶部４と、前記端末の内のいずれか一つから当該端末を特定する特定信号を受信したとき、該特定信号に基づき、前記記憶部に記憶された表示情報を選択し、前記表示部に表示させる表示制御部８を備え、前記各端末毎に対応する表示情報を前記表示部に表示する。【選択図】図２
2011087111.tif 000002
【特許請求の範囲】
【請求項１】
送受信部を各々有する一または複数の端末と送受信を行う送受信部と、
情報を表示する表示部と、
前記各端末毎に対応する表示情報を記憶する記憶部と、
前記端末の内のいずれか一つから当該端末を特定する特定信号を受信したとき、
該特定信号に基づき、前記記憶部に記憶された表示情報を選択し、
前記表示部に表示させる表示制御部を備えること
を特徴とする情報表示装置。
【請求項２】
前記端末の内いずれか１つから当該端末を特定する前記特定信号を受信したとき、
前記各端末毎に対応する表示情報を前記表示部に表示すること
を特徴とする請求項１に記載の情報表示装置。
【請求項３】
前記端末は、子機であり、前記特定信号は子機の識別信号、子機のクレードルアップ信
号、子機のオフフック信号、子機の操作ボタン信号のいずれかであることを
特徴とする請求項１に記載の情報表示装置。
【請求項４】
前記記憶部に各端末と各端末に対応する表示情報とを関連付ける情報を記憶させるた
めの入力部を備えること
を特徴とする請求項１に記載の情報表示装置。
【請求項５】
前記各端末から受信した特定信号に基づいて前記記憶部に各端末と各端末に対応す
る表示情報とを関連付ける情報を記憶させること
を特徴とする請求項１に記載の情報表示装置。
【請求項６】
上記情報表示装置は無線子機付き通信端末であることを特徴とする情報表示装置。
【請求項７】
送受信部が、送受信部を各々有する一または複数の端末と送受信をするステップと、
表示部が、情報を表示するステップと、
記憶部が、前記各端末毎に対応する表示情報を記憶するステップと、
前記送受信部が、前記端末の内のいずれか一つから当該端末を特定する特定信号を受信
したとき、該特定信号に基づき、前記記憶部に記憶された表示情報を選択するステップと、
前記各端末毎に対応する表示情報を前記表示部に表示するステップを含む、
情報表示装置における情報表示方法。
【発明の詳細な説明】
【技術分野】
【０００１】
この発明は、複数の端末にそれぞれ対応した情報を表示する情報表示装置に関する。特に、本発明は無線子機付き通信端末に好適に利用される情報表示装置に関する。
【背景技術】
【０００２】
表示装置は、表示画面に動画や静止画などを表示して利用者に観賞させたり、または電子機器の操作情報を表示して電子機器の操作を便利にしたりするように使用される。
例えば、無線子機付き通信端末においては、親機または子機が操作された際、親機及び子機に備えられた表示装置に、電話番号や相手先情報を表示させて、ダイヤル操作、発呼操作を便利、かつ確実にする。また、着信の際は、着信を報知し、相手先情報を表示する。
【０００３】
親機と子機からなる無線子機付き通信端末において、親機及び子機が使用する電話番号及び相手先情報を記録した電話帳データを親機又は子機に記憶し、親機又は子機が操作された際、電話帳データを読み出して親機又は子機の表示装置に電話番号及び相手先情報を表示する発明が、例えば特許文献１及び２により公知である。
【先行技術文献】
【特許文献】
【０００４】
【特許文献１】特開２００４−２２８７３０号公報
【特許文献２】特開２００５−９４４３１号公報
【発明の概要】
【発明が解決しようとする課題】
【０００５】
特許文献１及び２は、複数の子機を備えているが、各子機で同じ操作をした場合、同じ表示情報が表示され、親機または各子機に対応した情報が表示されるものではなかった。また、電子機器のリモコンが複数ある場合も、複数のリモコンで同じ操作をすると、同じ動作が行われる。
しかし、親機または各子機が操作された場合、その親機または各子機に対応した情報が表示されると、より操作が便利になり、最適なユーザ操作が実現できる。また、親機または各子機で利用できる表示情報を制限したり、親機及び各子機のプライバシーを保持したり、相互の秘密保持をしたりするために、それぞれ親機または各子機固有の情報が表示されることが望ましい。また、リモコンの場合も各リモコンに対応して、電子機器がそれぞれ個別動作することにより、操作が便利になり、最適なユーザ操作が実現できる。
【０００６】
本発明はこのような要求に鑑み、各端末に対応した情報表示が可能な情報表示装置及び情報表示方法を提供するものである。
【課題を解決するための手段】
【０００７】
本発明の情報表示装置は、上記課題を解決するため、送受信部を各々有する一または複数の端末と、送受信を行う送受信部と、情報を表示する表示部と、前記各端末毎に対応する表示情報を記憶する記憶部と、前記端末の内のいずれか一つから当該端末を特定する特定信号を受信したとき、該特定信号に基づき、前記記憶部に記憶された表示情報を選択し、前記表示部に表示させる表示制御部を備え、前記各端末毎に対応する表示情報を前記表示部に表示することを特徴とする。
【０００８】
本発明において、端末は無線子機付き通信端末の子機、または電子機器のリモコンを指す。端末が子機である場合、特定信号は、子機の認識信号、子機のクレードルアップ信号、子機のオフフック信号、または子機の操作ボタン信号である。また、端末が、リモコンである場合、特定信号は、操作ボタン信号または振動センサー出力の信号である。これらの信号は、無線によるデータ通信が行われ、そのデータの中に含まれる信号であり、データ通信に含まれるパケットと同じであるが、これら信号は図３および図４によって後述するように、本発明による動作を行うという意味で、特定信号と称している。そして、前記表示情報は、電話帳情報、相手先情報、映像情報、ゲーム情報を含む。
従って、子機が子機の認識信号、子機のクレードルアップ信号、子機のオフフック信号、または子機の操作ボタン信号を含むコマンドを出力すると、表示装置はその信号を出力した子機と表示情報との関係に基づき、子機に対応した表示情報を表示する。また、リモコンが操作ボタン信号または振動センサー出力を含む信号を出力すると、表示装置はその信号を出力したリモコンと表示情報との関係に基づき、リモコンに対応した表示情報を表示する。
【０００９】
また、本発明は別の観点では、上記課題を解決するための情報表示方法であり、送受信部が、送受信部を各々有する一または複数の端末と送受信をするステップと、表示部が、情報を表示するステップと、記憶部が、前記各端末毎に対応する表示情報を記憶するステップと、前記送受信部が、前記端末の内のいずれか一つから当該端末を特定する特定信号を受信したとき、該特定信号に基づき、前記記憶部に記憶された表示情報を選択するステップと、前記各端末毎に対応する表示情報を前記表示部に表示するステップを含むことを特徴とする。
この情報表示方法によれば、各端末からの特定信号に従って各端末に対応した情報表示が可能な情報表示装置を実現することができる。
【発明の効果】
【００１０】
本発明によれば、各端末からの信号に従って、各端末に対応した情報表示が可能な情報表示装置及び情報表示方法が提供される。
【図面の簡単な説明】
【００１１】
【図１】本発明の情報表示装置を無線子機付き通信端末に適用した場合の使用状態説明図を示す。
【図２】本発明の情報表示装置を無線子機付き通信端末に適用した場合の情報表示装置１００と、子機２０１のブロック図を示す。
【図３】本発明の情報表示装置を無線子機付き通信端末に適用した場合に記憶部に記憶される、各端末と表示情報の関係を示すデータマトリクス図を示す。
【図４】本発明の情報表示装置を無線子機付き通信端末に適用した場合に記憶部に記憶される、各子機と電話帳情報の関係を示すデータマトリクス図を示す。
【図５】本発明の情報表示装置を無線子機付き通信端末に適用した場合の親機と子機の動作を説明するフローチャート図を示す。
【図６】本発明の情報表示装置を無線子機付き通信端末に実施した場合に、電話帳表示する動作を説明するフローチャート図を示す。
【図７】本発明の情報表示装置を無線子機付き通信端末に実施した場合に、親機により各子機と表示情報のデータマトリクスを作成または登録するフローチャートを示す。
【図８】本発明の情報表示装置を無線子機付き通信端末に実施した場合に、親機と子機が通信することにより、データマトリクスを作成または登録するフローチャート図を示す。
【発明を実施するための形態】
【００１２】
以下、本発明の情報表示装置について図面を参照して説明する。
図１は、本発明の情報表示装置を無線子機付き通信端末に適用した場合の使用状態説明図を示す。
無線子機付き通信端末は、情報表示装置１００と、情報表示装置１００と通信可能な４つの子機２０１、２０２、２０３及び２０４から構成される。子機の数は、２つ以上何個でもかまわない。ここで、情報表示装置１００は、表面を表示部１０１が大部分を占めるように大型の表示装置によって構成される。表示部１０１は、例えば、カレンダー、時計またはスライドショーが表示可能な大きさである。またこのような大きさの表示部１０１はポートレートを表示するように使用することが可能である。カレンダー、時計またはポートレートは、情報表示装置１００に常時表示してもよいし、スライドショーのように所定時間で順次変化するようにしてもよい。
【００１３】
また、この情報表示装置１００はＦＡＸ送信及び受信が可能であるが、スキャナ装置及び印刷装置を備えていない。そのため、送信画像及び受信画像は、メモリ媒体に入出力する。あるいは、無線子機付き通信端末とは別に備えられたスキャナ装置により画像を取り込み、また無線子機付き通信端末とは別に備えられた印刷装置により画像を印刷する。または、情報表示装置１００と子機が赤外線通信のような無線通信により、画像信号の入出力を行ってもよく、また情報表示装置１００は電話回線に接続されているので、携帯電話によって撮影された画像情報を入力画像情報とすることができる。もしくは携帯電話に画像情報を出力することができる。更に、情報表示装置１００はネットワークと通信可能なインターフェースを備えているので、ネットワークのホームページにある画像情報を利用したり、ホームページに出力したりすることができる。
【００１４】
本発明の無線子機付き通信端末において、子機２０１、２０２、２０３及び２０４は、全て同じ構成であり、ダイヤルボタン２１１、十字ボタン２１２、表示部２１３、マイク２１４、スピーカ２１５を備える。また、子機内部に振動センサー２３９及び情報表示装置１００と通信する無線通信部２３５を備える。更に、子機はクレードル（図示しない）に収められ、クレードルから持ち上げられたときクレードルアップ信号を出力する。
子機２０１、２０２、２０３及び２０４は、それぞれ個人所有であるとする。例えば、子機２０１は父親用、子機２０２は母親用、子機２０３及び２０４は子供用である。そして、各子機はそれぞれ個別の表示情報が対応し、その個別の表示情報は固有のコマンドが付されている。従って、各子機から固有コマンドを入力すると、その固有コマンドに対応する表示情報が情報表示装置１００の表示画面に表示される。
なお固有コマンドは、各子機を特定する特定情報であり、各子機の識別信号、各子機のクレードルアップ信号、各子機のオフフック信号、または各子機の操作ボタン信号などを特定情報として使用する。また、リモコンである場合、操作ボタン信号または振動センサー出力信号であって、これらの信号によって図３および図４で後述するように、本発明による動作を行うという意味で、固有コマンドと称している。
【００１５】
図１（ａ）は、情報表示装置１００と、４つの子機２０１、２０２、２０３、２０４があることを示す。本実施形態のおいては、この内情報表示装置１００と子機２０１は無線子機付き通信端末の親機を構成する。
図１（ｂ）は、子機２０１がクレードルアップされて、情報表示装置１００の表示部１０１に子機２０１の固有の表示情報が表示されていることを示す。図１（ｂ）に示す情報表示装置１００の表示部１０１は、子機２０１の所有者の通信相手先情報として通信相手毎にそれぞれ対応つけられた写真６枚を表示している様子を示す。
同様に、図１（ｃ）は、子機２０２がクレードルアップされて、情報表示装置１００の表示部１０１に子機２０２の固有の表示情報が表示されていることを示す。図１（ｃ）の表示部１０１は、子機２０２の所有者の通信相手先情報として通信相手毎に対応つけられた顔写真４枚を表示している様子を示す。
また、図１（ｄ）は、子機２０３がクレードルアップされて、情報表示装置１００の表示部１０１に子機２０３の固有の表示情報が表示されていることを示す。図１（ｄ）の表示部１０１は、子機２０３の所有者自身の顔写真を表示している様子を示す。
また、図１（ｅ）は、子機２０４がクレードルアップされて、情報表示装置１００の表示部１０１に子機２０４の固有の表示情報が表示されていることを示す。図１（ｅ）の表示部１０１は、子機２０４の所有者の好みの風景画を表示している様子を示す。
【００１６】
このように、子機はそれぞれ個別の表示情報を有し、子機をクレードルアップすることにより、当該子機に固有の表示画像を表示させることができる。勿論、当該子機固有の表示画像は、当該子機をクレードルアップしたときだけ表示され、他の子機がクレードルアップされても当該画像を表示させることはできない。これにより、親機及び各子機で利用できる表示情報を制限することができる。また、親機及び各子機のプライバシーを保持し、相互の秘密を保持することができる。
ここでは、子機をクレードルアップしたとき当該子機に対応した固有の表示情報を表示させる場合を説明したが、各子機は各子機を識別する識別信号、オフフック信号及び操作ボタン信号も出力することができるので、各子機と表示情報の関係を記憶することにより、各子機と表示情報の関係に基づき、情報を表示することができる。
また、親機及び各子機は、共通のコマンドも有し、共通のコマンドを入力したときは、どの子機からコマンドを入力しても同じ表示情報を表示することができる。なお共有コマンドは、どの子機、または、リモコンから操作された場合も同じ動作が行われるという意味で、共有コマンドと称している。
【００１７】
図１は、無線子機付き通信端末を示すが、本発明の情報表示装置は、無線子機付き通信端末に限らず、表示部を有する電子機器において、表示部に表示させる表示情報を複数の端末から操作することができる情報表示装置に適用できる。例えば、情報表示装置１００に音楽再生部、動画再生部、ゲーム機能部を備え、複数の端末をリモコンとして使用することにより、端末毎にそれぞれ固有の操作を可能にする。このように音楽再生部、動画再生部、ゲーム機能部を備え、各部に対応するデータ、アプリケーションは外部記憶媒体やネットワークより取り込んでもよい。
従って、第１の端末の操作により第情報表示装置に表示された動画を観賞することができるが、その他の端末からの操作によっては第１の動画を観賞できないようにすることができる。あるいは第２の端末の操作によって情報表示装置に表示されたゲームＡを利用することができるが、他の端末の操作によってはゲームＡは利用できないようにすることができる。また、第３の端末の操作によって情報表示装置に表示されたホームページＳを見ることができるが、他の端末からはホームページＳを見ることができないようにできる。
また、各端末はそれぞれ共通コマンドを有しているので、共通コマンドを入力したときは、どの端末から共通コマンドを入力しても同じ表示情報を表示させることができる。
【００１８】
図２は、本発明の情報表示装置を無線子機付き通信端末に適用した場合の情報表示装置１００と子機２０１のブロック図を示す。子機２０１〜２０４は同じ構成であるので、子機２０１のブロック図のみを代表して示す。
情報表示装置１００は、例えばＣＰＵのような主制御装置１、ワーキングメモリとして使用されるＲＡＭ２、主制御装置に対する命令コマンドからなるプログラムを記憶するＲＯＭ３、各端末と表示情報の関係を記憶するデータ記憶部４、スピーカ５、マイク６、電話・ＦＡＸ制御装置７、表示制御部８、操作部９、画像コーデック１０、音声コーデック１１、メモリカード制御部１２、ＵＳＢ制御部１３、無線データ通信部１４及びネットワーク通信部１５、音楽再生部、動画再生部、ゲーム機能部を含む機能部１６備え、これら各部分はバス２１により相互に通信可能である。また、電話・ＦＡＸ制御装置７は子機制御装置１７に接続される。
【００１９】
上記主制御装置１は、ＲＯＭ３に格納されたプログラムを読み出して、情報表示装置１００及び子機２０１〜２０４を初期の目的とおりに動作するよう制御する。
ＲＡＭ２は、上記主制御装置１が所定の動作を実行する場合にデータ、情報等を一時的に記憶するワーキングメモリである。例えば、子機を識別するための番号をキーワードとして、各子機と表示情報の関係を検索する検索部として使用されたり、検索結果に基づき表示情報を表示させる表示制御部として使用されたりする。この他に、ＲＯＭ３のプログラムをＲＡＭ上に展開して、ＲＡＭ上のプログラムを主制御装置１で制御する。即ち、ＲＡＭ２はワークエリアとプログラムエリアを持って動作し、プログラムの動作エリアとして使用される。ＲＯＭ３は、本発明の情報表示装置を初期の目的とおりに動作させるプログラムデータ及びこの情報表示装置に必要な固定データを記憶する。
また、データ記憶部４は、各端末と表示情報との関係を記憶する。即ち、図３に示すように、子機２０１〜２０４及びコマンドと、表示情報との関係を示すデータマトリクスを記憶する。また、図４に示すように、各子機と電話帳情報との関係を示すデータマトリクスを記憶する。これらデータマトリクスは明示的に示すものであり、データ記憶部４の記憶状態を示すものではない。また、データ記憶部４は、動画、静止画及び電話帳データなどを記憶する。
【００２０】
図３は、子機２０１〜２０４及びコマンドと、表示情報の関係を示すデータマトリクスであり、図３に示すように、子機２０１〜２０４がコマンドＡを出力するとき、子機２０１〜２０４が状態１であると、即ち、コマンドＡがクレードルアップであるとすると、各子機に対応する電話帳１〜４を表示する。しかし、子機２０１、２０３、２０４が状態２であるとき、即ちオフフック信号であるときは無視され、表示部に何も表示しないが、子機２０２が状態２であるときは、ＬＥＤを点灯することにより子機２０２が使用中であることを表示する。
また、子機２０１〜２０４がコマンドＢを出力するとき、子機２０１〜２０３が状態１であると、即ちクレードルアップされているときは無視される。しかし、子機２０４が状態１であるときはＬＥＤを点灯する。
【００２１】
このように、子機および子機の状態と、コマンドによって表示部に表示される情報は異なり、子機２０１〜２０４が状態１のときに出力するコマンドＡ、子機２０２が状態２のときに出力するコマンドＡ、及び子機２０４が状態１のときに出力するコマンドＢを固有コマンドと称する。また、子機２０１、２０３及び２０４が状態２のとき出力するコマンドＡ、及び子機２０１〜２０３が状態１のとき出力するコマンドＢを共通コマンドと称する。
更に、図３に示すように、コマンドＣ、Ｄでは、子機に応じて再生される動画が異なり、或いは再生が行われない（無視）。この外に、コマンドＥはＢＧＭ１または２を再生し、コマンドＦはゲーム１または２を起動する。
【００２２】
即ち、子機２０１および２０２がコマンドＣを出力すると、動画データ１を再生し、子機２０３がコマンドＣを出力すると、動画データ２を再生する。しかし、子機２０４がコマンドＣを出力するときは無視され、動画は表示されない。また、子機２０１がコマンドＤを出力すると、動画データ４を再生し、子機２０２がコマンドＤを出力すると、動画データ５を再生し、子機２０４がコマンドＤを出力すると、動画データ６を再生する。しかし、子機２０３がコマンドＤを出力するときは無視され、動画は表示されない。
また、子機２０１がコマンドＥを出力すると、ＢＧＭ１が再生され、子機２０２がコマンドＥを出力すると、ＢＧＭ２が再生され、子機２０４がコマンドＥを出力すると、ＢＧＭ２が再生される。しかし、子機２０３がコマンドＥを出力するときは無視され、ＢＧＭ出力されない。さらに、子機２０１がコマンドＦを出力すると、ゲームソフト１が起動され、子機２０３がコマンドＦを出力すると、ゲームソフト２が起動される。しかし、子機２０２および２０４がコマンドＦを出力しても、ゲームソフトは起動されず、無視される。
このような子機２０１〜２０４及びコマンドと、表示情報の関係を示すデータマトリクスでは、任意に設定可能であり、図３は一例である。
【００２３】
図４は、子機と電話帳データの関係を示すデータマトリクスであり、図３の電話帳データの詳細を示す。図４は相手先の名前、読み、電話番号及び画像を含む電話帳情報と、子機の関係を示す。即ち、１番目の電話帳情報は、子機２０１がクレードルアップされると表示されるが、他の子機２０２〜２０４がクレードルアップされても表示されない。また、２番目の電話帳情報は、子機２０２がクレードルアップされると表示されるが、他の子機２０１、２０３、２０４では表示されない。３番目の電話帳情報は、子機２０３がクレードルアップされると表示されるが、他の子機２０１、２０２，２０４では表示されない。４番目の電話帳情報は、子機２０３および２０４がクレードルアップされると表示されるが、他の子機２０１、２０２では表示されない。このように、電話帳情報と、子機の関係によって表示部に表示される電話帳情報は異なり、子機２０１が１番目の電話帳情報を表示するときに出力するコマンド、子機２０２が２番目の電話帳情報を表示するときに出力するコマンド、子機２０３が３番目の電話帳情報を表示するときに出力するコマンドが固有コマンドであり、子機２０３、２０４が４番目の電話帳情報を表示するときに出力するコマンドが共通コマンドである。
図４に示した子機と電話帳データの関係を示すデータマトリクスは、一例であり、図４のデータマトリクスは任意に設定可能である。
【００２４】
電話・ＦＡＸ制御装置７は、電話回線２２と接続され、電話またはＦＡＸ通信を制御する部分であり、音声制御部７１は、電話回線２２とマイク６またはスピーカ５の間の音声信号を制御し、音声入力または音声出力を制御する。
ＦＡＸ制御部７２は、電話回線３１からの画像信号の受信、または電話回線２２への画像信号の出力を制御する。この実施形態では、情報表示装置１００はスキャナ及び印刷装置を備えていないので、メモリカードまたはＵＳＢメモリにより入力された画像信号をＦＡＸ信号として送信することができる。また、ＦＡＸ信号を受信した場合、ＲＡＭ２に記憶し、ユーザの要求に応じて表示装置に表示させることができる。そして、必要に応じて、メモリカードまたはＵＳＢメモリに記録することができる。
信号制御部７３は、電話回線２２から受信した信号または情報表示装置１００から発信する信号を制御するＬＩＵ（Line Interface Unit）である。例えば、着信信号を検出したときは情報表示装置１００に着信表示及び着信音出力させる。またダイヤル送出信号を送出する際は、発呼信号を出力し、ダイヤル信号を電話回線２２へ送信する。また、電話回線２２より開閉信号を受信したときは、情報表示装置１００内の電話回路を開閉する。  その外に、電話とＦＡＸ、着信と発呼が衝突していないかを検出する。
【００２５】
上記表示制御部８は、図１に示した表示部１０１を構成する液晶表示装置８１、バックライト８２の表示を制御する。この情報表示装置１００の液晶表示装置８１は、子機の長さ程度の高さ及び幅を有する。例えば、１０×１５ｃｍ程度の大きさであり、いわゆるポートレートを表示できるような大きさである。バックライト８２は、情報表示装置１００の操作部９が操作されると点灯し、液晶表示装置８１により情報表示状態になる。  または、電話またはＦＡＸを受信すると、受信状態を表示する。この他に、ＬＥＤを備え、ＬＥＤが点灯するときは、子機の使用中であることを表示し、ＬＥＤが点灯していないときは子機の使用中でないことを表示する。
【００２６】
操作部９は、０から９までの数字と＊、＃ボタンで計１２個のダイヤルボタンと、外線発信のための外線ボタン、短縮ダイヤル登録のための登録ボタン、短縮ダイヤル発信のための短縮ボタン、前回ダイヤルした電話番号を再度ダイヤルするためのリダイヤルボタン及び十字ボタンを備える。これらボタンによって、情報表示装置１００の操作を可能にする。また、液晶表示装置８１の前面にタッチパネル９２が配置され、タッチパネル９２を使用して操作された場合、タッチパネル制御部９３によって操作位置が検出され、操作位置に対応した操作信号を生成し、情報表示装置１００の操作を可能にする。
画像コーデック１０は、画像信号の圧縮・伸張を行うソフトウエアであり、Ｇ３、Ｇ４ファクシミリの画像圧縮・伸張に用いられる。
音声コーデック１１は、音声信号の符号化・復号化に用いられるソフトウエアであり、ＩＳＤＮの音声通信に用いるＧ．７１１コーデックなどがある。
【００２７】
メモリカード制御部１２は、情報表示装置１００に備えられたメモリカード挿入部（図示しない）にメモリカードが挿入されたとき、メモリカードを検出し、メモリカードに記録された情報を取り込み、信号処理する。或いは、情報表示装置１００のＲＡＭ２またはデータ記憶部４に記憶するデータ、または電話回線２２より受信した情報をメモリカードに書き込む。
ＵＳＢ制御部１３は、情報表示装置１００に備えられたＵＳＢ挿入部（図示しない）にＵＳＢメモリが挿入されたとき、ＵＳＢメモリを検出し、ＵＳＢメモリに記録された情報を取り込み、信号処理する。或いは、情報表示装置１００のＲＡＭ２またはデータ記憶部４に記憶するデータ、または電話回線２２より受信した情報をＵＳＢメモリに書き込む。
無線データ通信制御部１４は、情報表示装置１００及び子機以外の機器との通信を可能にする制御部である。例えば、無線データ通信のためBluetooth,IrDA,IrSS,IrSimpleなどの近距離無線手段を備え、画像データや電話帳データ、その他データの送受信に利用される。
ネットワーク通信部１５は、RJ-45、有線ＬＡＮ通信、ＷｉＦｉなど無線ＬＡＮ通信機能を備え、LAN２３により、内部ネットワークまたは外部ネットワークと通信し、画像情報または音楽情報を取得または出力する。
機能部１６は、音楽再生部、動画再生部、ゲーム機能部を備え、音楽データの再生、動画データの再生を行い、またゲームソフトの起動を行う。
【００２８】
子機制御装置１７は、子機無線通信部１７１と、子機無線コマンド制御部１７２を備える。子機無線通信部１７１は、情報表示装置１００と子機２０１〜２０４間の無線通信を制御する。
子機無線コマンド制御部１７２は、電話・ＦＡＸ制御装置７とデータの送受信を行い、子機との通信信号を解析して、どの子機がクレードルアップもしくは通信回線捕捉状態（即ち、オフフック）に移行したかを検出する。また、子機から送信された操作コマンドを検出する。
【００２９】
図２の下方に、子機２０１〜２０４のブロック図を示す。なお、子機２０１〜２０４は同じ構成であるので、子機２０１のブロック図のみを示す。
子機２０１は、受話器となるスピーカ２３１及び送話器となるマイクロホン２３２を備え、このスピーカ２３１とマイクロホン２３２の音声信号を処理する音声信号処理部２３３に接続される。アンテナ２３４は、無線送受信信号を処理する無線通信部２３５に接続され、無線通信部２３５からのデータを処理してＣＰＵ２３６へ送出し、あるいはＣＰＵ２３６からのデータを処理して無線通信部２３５に送出するコマンド制御部２３７と接続される。
【００３０】
ＣＰＵ２３６は、子機２０１の各部を制御する。また、ＣＰＵ２３６に操作部２３８が接続される。操作部２３８は、外線発信のための外線ボタン、短縮ダイヤル登録のための登録ボタン、短縮ダイヤル発信のための短縮ボタン、前回ダイヤルした電話番号を再度ダイヤルするためのリダイヤルボタン、０から９までの数字と＊、＃ボタンで計１２個のダイヤルボタンを備える。
また、ＣＰＵ２３６に、振動センサー２３９とクレードルアップ検出部２４０が接続される。振動センサー２３９は、子機２０１の上下、左右、前後、回転のような動きを検出し、その動き方向信号を出力する。この方向信号は、ゲームを動作させるために使用されるが、それ以外にも、表示部に表示された画像を、上下、左右、前後または回転、拡大、縮小するような動作に利用することも可能である。
クレードルアップ検出部２４０は子機２０１がクレードルから持ち上げられたことを検出し、その検出信号を出力する。
さらに、このＣＰＵ２３６には、呼出音を鳴動するブザー２４１と、このブザー２４１から呼出音を出力する呼出音出力部２４２と、情報表示装置１００に保存できない子機２０１が必要とするデータを記憶するメモリ２４３が設けられている。
【００３１】
次に、本発明の情報表示装置の動作を、図５に示すフローチャート図とともに説明する。図５は、図１〜図４に示した無線子機付き通信端末を実施形態として説明するフローチャート図である。
図５に示すように、情報表示装置１００では、ステップＳ１は、待機状態にある。次のステップＳ２では、子機無線コマンド制御部１７２によって、子機２０１〜２０４のいずれかからコマンドを受信したか否か判断する。子機コマンドを受信していなければ、ステップＳ１に戻る。子機コマンドを受信したことを判断した場合、ステップＳ３で、子機コマンドをチェックする。子機コマンドは子機の識別番号と、クレードルアップ、オフフックのような子機状態及び操作ボタンによって入力されたコマンドを含む。
次に、ステップＳ４では、受信した子機コマンドが当該表示装置の動作対象のコマンドであるか否かを、図３の各子機と表示情報の関係を示すデータマトリクスを検索して判断する。即ち、子機コマンドをキーワードとして、図３のデータマトリクス検索し、その有無を判断する。もし、動作対象コマンドでなければ、動作の必要がないので、最初のステップＳ１に戻る。動作対象コマンドである場合は、次のステップＳ５に移行し、図３の動作情報を取得する。そして、ステップＳ６では、例えば電話帳表示、ＬＥＤ点灯、無視、動画再生、或いはゲーム起動するような所定動作を実施する。
【００３２】
一方、子機は以下のように動作する。ここでは複数の子機の内いずれか１つの動作を説明する。最初のステップＳ１１は待機状態である。次に、ステップＳ１２で、クレードルアップ或いはオフフックのように子機状態が変化したとする。このような状態変化はステップＳ１３で、情報表示装置１００へ通知が必要であるかどうか判断する。もし通知の必要がない動作或いは状態変化であれば、最初のステップＳ１１に戻る。しかし、情報表示装置１００へ通知が必要な状態変化であると判断された場合は、ステップＳ１４で情報表示装置１００へ無線通知される。
【００３３】
上記状態変化とは、クレードルアップ或いはオフフックの外に、機能ボタンの操作、振動センサーの出力を含み、図３に示すデータマトリクスに従って、情報表示が行なわれる。
即ち、子機２０１がクレードルアップされると、電話帳データ１を表示する。子機２０２がクレードルアップされると電話帳データ２を表示する。子機２０３がクレードルアップされると電話帳データ３を表示する。子機２０４がクレードルアップされると電話帳データ４を表示する。
また、子機２０１がオフフックされると、その動作は無視され、表示装置２００は何も動作しない。子機２０２がオフフックされるとＬＥＤを点灯し、子機２０２が使用中でることを表示する。子機２０３及び２０４がオフフックされたときは、その動作は無視され、表示装置２００は何も動作しない。
また、子機２０１がコマンドＢ（例えば、子機間通話をするための機能ボタン１）を出力する場合は、その動作は無視され、表示装置２００は何も動作しない。子機２０２及び２０３がコマンドＢを出力するときも同様に、その動作は無視され、表示装置２００は何も動作しない。しかし、子機２０４がコマンドＢを出力するときは、ＬＥＤを点灯し、子機２０２が使用中であることを表示する。
【００３４】
以下、コマンドＣ（例えば、＃ボタンと数字９ボタンを押したとき）を出力する場合は、図３のデータマトリクスに従って、子機番号に応じて動画データ１または動画データ２を再生する。コマンドＤ（例えば、＃ボタンと数字２ボタンを押したとき）を出力する場合は、図３のデータマトリクスに従って、子機番号に応じて動画データ４、動画データ５または動画データ６を再生する。コマンドＥ（例えば、＃ボタンと数字３ボタンを押したとき）を出力する場合は、図３のデータマトリクスに従って、子機番号に応じて音楽データ１または音楽データ２を再生する。コマンドＦ（例えば、＃ボタンと数字４ボタンを押したとき）を出力する場合は、図３のデータマトリクスに従って、子機番号に応じてゲーム１またはゲーム２を起動する。
また、ゲーム起動時に、リモコンが上下、左右、前後または回転のような動きを振動センサー２３９が出力すると、その動き方向信号によりゲームを動作させる。振動センサーは、ゲームに使用するだけでなく、表示部に表示された画像を、上下、左右、前後または回転、拡大、縮小するように動作する。
【００３５】
次に、子機がオフフックされたとき、電話帳表示する動作について、図６を使用して説明する。
図６に示すように、情報表示装置１００では、ステップＳ２１は、待機状態にある。次のステップＳ２２では、子機無線コマンド制御部１７２によって、子機よりコマンドを受信したか否か判断する。子機コマンドを受信していなければ、ステップＳ２１に戻る。子機コマンドを受信したことを判断した場合、ステップＳ２３で、子機コマンドをチェックする。子機コマンドは、図５のステップＳ３の子機コマンドと同じである。即ち、子機番号と、子機状態及び操作ボタンによって入力されたコマンドである。
次に、ステップＳ２４では、子機オフフックコマンドを受信したか否か判断する。子機オフフックコマンドでなければ、最初のステップＳ２１に戻る。子機オフフックコマンドである場合は、次のステップＳ２５に移行し、図４の各子機と電話帳情報の関係を示すデータマトリクスを検索する。そして、ステップＳ２６では、検索結果として、電話帳データを設定された順序で表示部に表示する。
【００３６】
一方、子機は以下のように動作する。ここでは複数の子機の内いずれか１つの動作を説明する。最初のステップＳ３１は待機状態である。次に、ステップＳ３２で、クレードルアップし、かつオフフックする。このオフフック動作は、ステップＳ３３で、情報表示装置１００へ無線通知される。
【００３７】
次に、図３に示すような、各子機と表示情報の関係を示すデータマトリクス、及び図４に示すような各子機と電話帳情報の関係を示すデータマトリクスを作成または新たにデータを登録するフローを説明する。
図７（ａ）は、情報表示装置１００に付属する子機２０１（ここでは、情報表示装置１００と子機２０１により親機を構成する。）より登録する場合のフローチャートを示す。図７（ｂ）は、再ダイヤルまたは着信履歴を用いて、情報表示装置１００に付属する子機２０１より登録する場合のフローチャートを示す。
【００３８】
図７（ａ）の最初のステップＳ４１は、待機状態である。次のステップＳ４２では、子機２０１を用いて、電話帳登録動作を起動する。例えば、子機２０１のテンキーにある＃ボタンと数字１ボタンを押すと、電話帳登録動作が起動する。次に、ステップＳ４３で、電話帳に登録する人物の名前と読みを子機２０１のキーを使用して入力する。次に、ステップＳ４４で、電話番号を登録する。次に、ステップＳ４５で、登録する人物の情報として画像ファイルを検索し、ＬＣＤ８１に表示する。画像ファイルの検索は情報表示装置１００内のデータ記憶部４を検索して行なわれるが、ネットワークを利用してネットワークのデータベースを検索してもよい。そして、ステップＳ４６では、画像ファイルを選択し、確定する。即ち、登録する人物の名前、読み、電話番号と、検索した画像データを関連付けする。更に、ステップＳ４７では、子機番号を選択し、確定する。その後、ステップＳ４８において、電話帳に登録し、これを確定して、このフローを完了する。
図７は電話帳データを登録する場合を説明したが、図３に示した各子機と表示情報の関係を示すデータマトリクスも同様に登録することができる。
【００３９】
図７（ｂ）の最初のステップＳ５１では、再ダイヤル履歴、または着信履歴をＬＣＤ８１に表示させる。次に、ステップＳ５２では、表示された再ダイヤル履歴または着信履歴から、新たに登録する番号を選択する。そして、ステップＳ４３では、電話帳登録を起動する。電話帳登録の起動は、ステップＳ４２と同様であり、例えば、子機２０１のテンキーにあるボタン♯とボタン１を押す。次に、ステップＳ５４で、電話帳に登録する人物の名前と読みを子機２０１のキーを使用して入力する。次のステップＳ５５〜ステップＳ５８は、図７（ａ）ステップＳ４５〜ステップ４８と同じである。
【００４０】
図８は、親機と子機が通信することにより、図３に示すような、各子機と表示情報の関係を示すデータマトリクス、及び図４に示すような各子機と電話帳情報の関係を示すデータマトリクスを作成または新たにデータを登録するフローを説明する。
【００４１】
図８において、最初のステップＳ６１及びＳ７１は、親機と子機は待機状態にある。ここで、親機は、情報表示装置１００と子機２０１からなる。
親機は、ステップＳ６２で、複数の子機からのコマンド受信の有無を判断する。受信がなければ、最初のステップＳ６１に戻る。子機からコマンド受信があると、ステップＳ６３に進み、子機コマンドをチェックする。例えば、子機番号、子機状態及び操作ボタン信号をチェックする。次に、ステップＳ６４では、子機コマンドのチェック結果は関連付けが必要なコマンドか否か判断する。関連付けの必要でないコマンドであれば、最初のステップＳ６１に戻る。関連付けが必要な子機コマンドであれば、ステップＳ６５でコマンドを受信した子機に電話番号の通知を要求する。その後、ステップＳ６６では、電話番号の受信待ち状態になる。もし所定時間までに電話番号の通知がなければ、タイムアウトで終了する。
【００４２】
次に、ステップＳ６７では、所定時間内に電話番号を受信したかどうか判断し、受信していなければ、ステップＳ６６に戻る。電話番号を受信すれば、次のステップＳ６８で、既に登録している電話帳データを照合し、一致するデータを検索する。ステップＳ６９では、もし一致する電話番号がある場合は登録済みであるので、このフローを終了する。一致番号がない場合は、ステップＳ７０で、電話帳データに新たなデータとしてコマンドを受信した子機番号とセットして登録する。
【００４３】
一方、子機は、ステップＳ７２で、電話帳登録動作を起動する。電話帳登録動作の起動は、図７のステップＳ４２と同じである。次にステップＳ７３で、電話帳に登録する人物の名前と読みを子機２０１のキーを使用して入力し、ステップＳ７４で、電話番号を登録し、ステップＳ７５で、電話帳登録情報を確定する。
そして、ステップＳ７６で、親機に対して関連付けを実施するかどうか判断する。親機に対して関連付けを実施する必要がなければ、このフローを完了する。しかし、関連付けが必要である場合は、次のステップＳ７７で、親機へ電話帳関連付けコマンドを通知する。その後、ステップＳ７８では、親機からの番号通知要求を待つ状態になる。もし所定時間までに番号通知要求がなければ、タイムアウトで終了する。次に、ステップＳ７９では、親機から番号通知要求があるかどうか判断し、要求がなければ、ステップＳ７８に戻る。しかし、所定時間内に番号通知要求があれば、ステップＳ８０で、電話番号を通知して、このフローを完了する。
【００４４】
親機と子機は以上のように動作するが、親機と子機の関連動作は次とおりである。即ち、子機がステップＳ７１〜Ｓ７７で、登録すべき電話情報を確定する。次にステップＳ７７で、親機へ電話帳関連付けコマンドを通知すると、親機は、ステップＳ６２で子機からのコマンドを受信し、そのコマンドをチェックし、ステップＳ６５で、電話番号の通知を要求する。子機は、親機から電話番号の通知要求を受信すると、ステップＳ８０で、電話番号を受信する。その後、ステップＳ７０で、親機は電話帳データを子機番号とセットにして登録する。
【００４５】
図８のフローチャートは、電話帳データを作成または更新する場合を説明したが、図３に示す各子機と表示情報の関係を示すデータマトリクスを作成または更新する場合も同様のフローチャートにより実行することができる。
【符号の説明】
【００４６】
１００  情報表示装置
２０１〜２０４  子機
１  主制御部
２  ＲＡＭ
３  ＲＯＭ
４  データ記憶部
７  電話・ＦＡＸ制御装置
８  表示処理部
９  操作部
【図２】
2011087111.tif 000003
【図３】
2011087111.tif 000004
【図４】
2011087111.tif 000005
【図５】
2011087111.tif 000006
【図６】
2011087111.tif 000007
【図７】
2011087111.tif 000008
【図８】
2011087111.tif 000009
【図１】
2011087111.tif 000010